【手続補正書】
【提出日】平成28年1月19日(2016.1.19)
【手続補正１】
【補正対象書類名】特許請求の範囲
【補正対象項目名】全文
【補正方法】変更
【補正の内容】
【特許請求の範囲】
【請求項１】
無針弁システムであって、
カニューレ先端を備えるカニューレと、
弁先端を備える弁であって、前記カニューレの周囲に配置される前記弁と、
ハウジング先端を備えるハウジングと、
を備え、
前記無針弁システムが封止位置にあるときに、前記カニューレ先端と、前記弁先端と、前記ハウジング先端とが平面を含む無針弁システム。
【請求項２】
前記カニューレは、さらに、中心の内腔と、前記内腔に流体中で繋がる半径方向に伸びる開口と、を有し、
前記弁の突起部が前記開口内に半径方向に着座しており、
前記無針弁システムは、前記弁が変形して前記弁の前記突起部を前記開口から押し出されて、封止位置から開位置に変わる、
請求項１に記載の無針弁システム。
【請求項３】
無針弁システムであって、
カニューレを備え、前記カニューレは前記無針弁システムの長手方向の軸と同軸であり、
前記カニューレは、前記カニューレの半径に沿って配置されたポートを有しており、
さらに、前記ポートを封止するための弁であって、前記弁は突起部を有する、弁を備え、
前記カニューレはカニューレの先端を有し、
前記弁は弁の先端を有し、前記弁は前記カニューレの周囲に配置されており、
さらに、ハウジングを備え、前記ハウジングはハウジング先端を有し、
前記無針弁システムは、
前記ハウジング先端は平面を有し、前記無針弁システムが封止位置にあるときには、前記カニューレの先端、前記弁の先端および前記ハウジング先端は同一平面にあって平面を形成しており、前記突起部が前記ポートを封止するものとして構成されている、
ことを特徴とする無針弁システム。
【請求項４】
前記カニューレおよび前記弁が、前記ハウジング内に同軸に配置される、請求項１乃至３のいずれか１つに記載の無針弁システム。
【請求項５】
前記カニューレが、前記カニューレの半径に沿って配置されたポートを更に備える、請求項１に記載の無針弁システム。
【請求項６】
前記弁が、前記カニューレのポートを封止するように構成された突起部を更に備える、請求項１に記載の無針弁システム。
【請求項７】
前記弁が、雄型ルアーにより前記ハウジング内で同軸に圧縮されるように構成される、請求項１乃至３のいずれか１つに記載の無針弁システム。
【請求項８】
前記弁が、前記弁の内径に沿って配置された隆起部を更に備え、
前記隆起部が前記カニューレの外径から流体を拭き取るように構成される、請求項１乃至３のいずれか１つに記載の無針弁システム。
【請求項９】
前記ハウジングと接合された基部を更に備え、
前記カニューレが前記基部の内部に形成される、請求項１乃至３のいずれか１つに記載の無針弁システム。
【請求項１０】
無針弁システムであって、
前記無針弁システムの長手方向軸線と同軸であるカニューレであって、前記カニューレの半径に沿って配置されたポートを含む前記カニューレと、
前記ポートを封止するように構成された弁と、
を備える無針弁システム。
【請求項１１】
前記無針弁システムが分割隔壁弁を必要としない、請求項１乃至３および１０のいずれか１つに記載の無針弁システム。
【請求項１２】
前記弁が、前記ポートを封止するように構成された突起部を更に備える、請求項１０に記載の無針弁システム。
【請求項１３】
前記弁が、前記突起部に対向して配置された肩部を更に備え、前記肩部が前記突起部による前記ポートの封止を補助するように構成される、請求項３，６，１２のいずれか１つに記載の無針弁システム。
【請求項１４】
無針弁システム内の流体の流れを制御するための方法であって、
カニューレの半径に沿って配置された、カニューレのポートを弁によって封止することと、
前記弁が前記ポートの覆いを外すように前記弁を押し下げることと、
流体が前記ポートを通って前記カニューレ内を流れることを可能にすることと、
を備えた方法。
【請求項１５】
無針弁システム内の流体の流れを制御するための方法であって、
カニューレの半径に沿って配置された、カニューレのポートを弁によって封止することと、
前記弁が前記ポートの覆いを外すように前記弁を押し下げることと、
流体が前記ポートを通って前記カニューレ内を流れることを可能にすることと、
を備え、
前記方法は、
前記弁の押し下げに先立ち、ハウジングのポートに平面を設け、前記カニューレの先端と前記弁の先端が前記ハウジングの前記ポートにおける前記平面と同一平面にあり、
前記ポートの前記封止は、突起部を前記ポートに着座させることによる封止を含む、
ことを特徴とする方法。
【請求項１６】
前記ポートを封止することが、前記ポート内に配置された突起部により前記ポートを封止することを更に含む、請求項１４に記載の方法。
【請求項１７】
前記弁を押し下げることが、無針装置により前記弁を押し下げることを更に含む、請求項１４または１５に記載の方法。
【請求項１８】
前記カニューレ内の背圧による前記ポートでの前記弁の径方向の変形を防止することを更に備えた、請求項１４または１５に記載の方法。
【請求項１９】
前記弁によりハウジングのポートを封止することを更に備えた、請求項１４または１５に記載の方法。
【請求項２０】
ハウジングのポートに平面を設けることを更に備え、
前記カニューレと前記弁とが前記ハウジングの前記ポートにおいて同一平面上に位置する、請求項１４に記載の方法。
【請求項２１】
前記弁により前記カニューレの外面から流体を拭き取ることを更に備えた、請求項１４または１５に記載の方法。
【請求項２２】
圧縮可能なカニューレ弁であって、
空洞の回りのハウジング壁と、ハウジング開口と、を有するハウジングと、
カニューレであって、基部と、前記空洞内において前記基部から前記ハウジング開口に向かうカニューレの先端と、前記基部から半径方向に向かう開口へ伸びる内腔と、を備える、カニューレと、
弾性的に圧縮可能な弁であって、前記カニューレを囲んでおり、肩部と、半径方向に向いた開口と軸を同じくする突起部と、を有し、前記肩部は、前記ハウジング壁に向かい半径方向に伸びており、前記突起部は、半径方向の開口内へと半径方向に伸びている、弁と、
を備える、カニューレ弁。
【請求項２３】
圧縮可能なカニューレ弁における流体の流れを制御するための方法であって、
（１）空洞の回りのハウジング壁と、ハウジング開口と、を有するハウジングを設け、
（２）カニューレであって、基部と、前記空洞内において前記基部から前記ハウジング開口に向かうカニューレの先端と、前記基部から半径方向に向かう開口へ伸びる内腔と、を備える、カニューレを設け、
（３）弾性的に圧縮可能な弁であって、前記カニューレを囲んでおり、肩部と、半径方向に向いた開口と軸を同じくする突起部と、を有し、前記肩部は、前記ハウジング壁に向かい半径方向に伸びており、前記突起部は、半径方向の開口内へと半径方向に伸びている、弁を設け、
前記弁を軸方向に圧縮して、前記肩部および前記突起部を前記半径方向に向いた開口から押し出して、前記圧縮可能なカニューレ弁を開放し、それにより前記半径方向に向いた開口を通して流体の流れを許容する、
方法。
【請求項２４】
圧縮可能なカニューレ弁であって、
空洞の回りのハウジング壁と、ハウジング開口と、を有するハウジングと、
カニューレであって、基部と、前記空洞内において前記基部から前記ハウジング開口に向かうカニューレの先端と、前記基部から半径方向に向かう開口へ伸びる内腔と、を備える、カニューレと、
弾性的に圧縮可能な弁であって、前記カニューレの先端と前記ハウジング壁の内壁との間にあり、前記カニューレは肩部と突起部を有し、前記カニューレは、肩部と、半径方向に向いた開口と軸を同じくする突起部と、を有し、前記肩部は、前記ハウジング壁に向かい半径方向に伸びており、前記突起部は、半径方向の開口内へと半径方向に伸びている、
カニューレ弁。